(57)【要約】【課題】バルブアクチュエーターにおける結露を防止する。【解決手段】バルブ１に連係されているピストン５を、ばね１６をもって一定方向に付勢するとともに、圧力空気送入口６ａより送入した圧力空気をもって、前記ばね１６に抗して、逆方向へ摺動させうるようにしてシリンダー４内に設け、ソレノイドバルブ１１をもって、シリンダー４における圧力空気送入口４ａ、６ａと加圧空気源１８とを連通させているときは、シリンダー４における排気口４ｂ、６ｂに接続した還流管２２を遮断し、かつソレノイドバルブ１１をもって、シリンダー４における圧力空気送入口４ａ、６ａと加圧空気源１８との連通を遮断したときは、還流管２２を、圧力空気送入口４ａ、６ａと導通させるようにする。【選択図】図１
2007162890.tif 000002
【特許請求の範囲】
【請求項１】
バルブに連係されているピストンを、ばねをもって一定方向に付勢するとともに、圧力空気送入口より送入した圧力空気をもって、前記ばねに抗して逆方向へ摺動させうるようにしてシリンダー内に設け、切替えバルブをもって、前記シリンダーにおける圧力空気送入口と加圧空気源とを連通させているときは、前記シリンダーにおける排気口に接続した還流管を遮断し、かつ切替えバルブをもって、前記シリンダーにおける圧力空気送入口と加圧空気源との連通を遮断したときは、前記還流管を、前記圧力空気送入口と導通させるようにしたことを特徴とするバルブアクチュエーター。
【請求項２】
還流管に、その内部の圧力が一定値以上の場合、これを大気中へ放出させる逆止弁を設けてなる請求項１記載のバルブアクチュエーター。
【発明の詳細な説明】
【技術分野】
【０００１】
本発明は、圧力空気をもってシリンダー内で摺動させられるピストンの動きを利用して、バルブと一体をなすステム等を回動させることにより、バルブを開閉させるようにしたバルブアクチュエーターに関する。
【背景技術】
【０００２】
図２は、従来の代表的なバルブアクチュエーターを略示する平面図である。
【０００３】
バルブボディ(１)内に配設されている図示を省略したバルブ（例えばボールバルブ）は、二又回動杆(２)の基端と一体をなすステム(３)により、閉弁方向である右方と、開弁方向である左方とに、ほぼ９０°の範囲回動させられるようになっている。
【０００４】
前記二又回動杆(２)には、左側のばね付きシリンダー(４)内のピストン(５)と、右側のばねなしシリンダー(６)内のピストン(７)を連結する連杆(８)より上方へ突設した係止ピン(９)が係合されている。
【０００５】
ばね付きシリンダー(４)内のピストン(５)は、圧縮コイルばね(10)をもって、右方へ付勢されている。
【０００６】
各シリンダー(４)(６)の右端部、すなわち各ピストン(５)(６)の右側に設けた圧力空気送入口(4a)(6a)には、それぞれ、切替バルブの一種であるソレノイドバルブ(11)から導出された送気管(12)(13)が接続されている。
【０００７】
各シリンダー(４)(６)の左端部、すなわち各ピストン(５)(７)の左側に設けた排気口(4b)(6b)には、それぞれ排気管(14)(15)が接続されている。
【０００８】
ソレノイドバルブ(11)は、常時はばね(16)をもって左方へ押されて、前記送気管(12)(13)を大気へ開口させ、かつ電磁石(17)により、ばね(16)に抗して右方へ移動させると、前記両送気管(12)(13)を、除湿加圧空気源(18)から出ている導気管(19)と接続するようになっている。
【０００９】
なお、除湿加圧空気源(18)とソレノイドバルブ(11)との間において導気管(19)には、フィルター(20)とレギュレーター(21)が設けられている。
【００１０】
図２に示す状態は、電磁石(17)が付勢されておらず、バルブが閉じられている場合を示し、ソレノイドバルブ(11)は、ばね(16)に押されて左方にあり、両シリンダー(４)(６)におけるピストン(５)(７)の右側における圧力空気は、送気管(12)(13)、およびソレノイドバルブ(11)の排出口(11a)を介して、大気中へ放出されている。
【００１１】
電磁石(17)を付勢し、ソレノイドバルブ(11)をばね(16)に抗して右方へ動かすと、除湿加圧空気は、送気管(12)(13)を介して両シリンダー(４)(６)の右側の圧力空気送入口(4a)(6a)へ送られ、連杆(８)はピストン(５)(７)とともに左方へ移動して、バルブは開かれる。各シリンダー(４)(６)内のピストン(５)(７)の左方空間における空気は、排気管(14)(15)を介して排出される。
【発明の開示】
【発明が解決しようとする課題】
【００１２】
上述したように、図２に示す従来のバルブアクチュエーターにおいては、バルブの開閉毎に、大気がシリンダー(４)(６)内へ吸引され、大気中の湿分が温度変化によりシリンダー(４)(６)の内部において結露し、使用が長期に亘ると、この結露水により、シリンダー(４)(６)の内部が錆びたり腐食したりして、作動不良や空気漏れを生じるおそれがある。
【００１３】
本発明は、従来のバルブアクチュエーターにおけるこのような問題点を、簡単な手段で解消することを目的とするものである。
【課題を解決するための手段】
【００１４】
本発明によると、上記課題は次のようにして解決される。
(１)バルブに連係されているピストンを、ばねをもって一定方向に付勢するとともに、圧力空気送入口より送入した圧力空気をもって、前記ばねに抗して逆方向へ摺動させうるようにしてシリンダー内に設け、切替えバルブをもって、前記シリンダーにおける圧力空気送入口と加圧空気源とを連通させているときは、前記シリンダーにおける排気口に接続した還流管を遮断し、かつ切替えバルブをもって、前記シリンダーにおける圧力空気送入口と加圧空気源との連通を遮断したときは、前記還流管を、前記圧力空気送入口と導通させるようにする。
【００１５】
(２)上記(１)項において、還流管に、その内部の圧力が一定値以上の場合、これを大気中へ放出させる逆止弁を設ける。
【発明の効果】
【００１６】
請求項１に係る発明：−
圧力空気によりシリンダー内のピストンを移動させても、シリンダー内の排気が外部へ放出されることはなく、また外気がシリンダー内へ吸引されることもない。従って、湿気を帯びていたり、微粒子を含んでいたりする外気により、シリンダー内が汚染されたり、作動が不円滑となったりすることはない。
【００１７】
請求項２に係る発明：−
ピストンの動きに伴い、シリンダーから排出される排気が、還流管内に蓄積され、還流管内の圧力が一定値より高まったときは、その排気は、逆止弁を介して、大気中へ放出されるので、排気側圧力の上昇による作動力の低下を防止することができる。
【発明を実施するための最良の形態】
【００１８】
本発明の具体的手段は、図２に示した従来の基本的な構成に、一部改変を加えたものであるので、図２に示す構成に本発明による改変を施したものを、図１として示す。従って、図１においては、図２におけるのと同一の要素には、同一の符号を付して、その説明を省略し、本発明により従来と異なる構成とされている部分についてのみ説明する。
【００１９】
図２においては、両シリンダー(４)(６)から出る排気管(14)(15)を大気へ開口させてあったが、図１においては、これらを、還流管(22)をもって、電磁石(17)で付勢されていないソレノイドバルブ(11)における排出口(11a)へ接続するとともに、逆止弁(23)を介して、大気へ連通させてある。
【００２０】
図１に示す本発明の構成によると、両ピストン(５)(７)の作動に伴う排気は、一定以上に高圧でない限り、大気中へ放出されることなく、図２に示した従来のもののように、作動に伴い大気を吸引することはない。
【００２１】
なお、図１における両ピストン(５)(７)の作動に伴う排気が一定圧以上である場合には、この排気は、逆止弁(23)を介して大気中へ放出される。
【００２２】
従って、シリンダー(４)(６)内やピストン(５)(６)、その他の作動部が、大気中の湿度や微細粒子等による悪影響を受けたり、過度の負荷を受けたりすることはない。
【００２３】
本発明は、ばね付きシリンダーを１個のみ備えるもの、同じく２個を対向配置したものに対しても、適用可能であることは自明である。
【００２４】
ソレノイドバルブに代わり、他の型式の切替えバルブを、適数用いて実施することもできる。
【００２５】
また適用されるバルブの型式は、任意であり、回転弁式のものばかりでなく、直線移動式のバルブにも適用可能である
【００２６】
加圧空気で作動させられるピストンの型式は、直線運動式のものに限らず、回転運動式のものであってもよい。
【図面の簡単な説明】
【００２７】
【図１】本発明に係るバルブアクチュエーターの実施形態を略示するイメージ的平面図である。
【図２】従来の代表的なバルブアクチュエータを略示するイメージ的平面図である。
【符号の説明】
【００２８】
(１)バルブボディ
(２)二又回転杆
(３)ステム
(４)ばね付きシリンダー
(4a)圧力空気送入口
(4b)排気口
(５)ピストン
(６)ばねなしシリンダー
(6a)圧力空気送入口
(6b)排気口
(７)ピストン
(８)連杆
(９)係止ピン
(10)圧縮コイルばね
(11)ソレノイドバルブ(切替えバルブ)
(11a)排出口
(12)(13)送気管
(14)(15)排気管
(16)ばね
(17)電磁石
(18)除湿加圧空気源
(19)導気管
(20)フィルター
(21)レギュレーター
(22)還流管
(23)逆止弁
【図１】
2007162890.tif 000003
【図２】
2007162890.tif 000004